(57)【要約】【課題】工事の種類や工事の進捗状況に応じてステージ足場の設置と移動を迅速にかつ安全に行なえるようにした昇降式ステージ足場を提供する。【解決手段】複数層に積層された枠組足場１と当該枠組足場１，１間に脱着自在に架け渡されたステージ足場２と、当該ステージ足場２を昇降させる昇降装置３とを備えて構成する。ステージ足場２は作業の進捗状況または作業の種類に応じて任意の高さに架け渡せるようにする。ステージ足場２は、複数の梁４と当該梁４の上に架け渡された大引き５と当該大引き５の上に敷設された足場板６とから構成する。【選択図】図１
2008174903.tif 000002
【特許請求の範囲】
【請求項１】
複数層に積層された枠組足場と当該枠組足場間に脱着自在に架け渡されたステージ足場と、当該ステージ足場を昇降させる昇降装置とを備え、作業の進捗状況または作業の種類に応じて任意の高さに架け渡せるようにしてあることを特徴とする昇降式ステージ足場。
【請求項２】
ステージ足場は、複数の梁材と当該梁材の上に架け渡された大引きと当該大引きの上に敷設された足場板とから構成されてなることを特徴とする請求項１記載の昇降式ステージ足場。
【発明の詳細な説明】
【技術分野】
【０００１】
本発明は昇降式ステージ足場に関し、主として吹き抜け部や階高の高い大空間に用いられ、作業の進捗状況や種類に応じて任意の高さに設置できるようにしたものである。
【背景技術】
【０００２】
建物の吹き抜け部や階高の高い場所の天井工事や設備工事、あるいは耐火被覆には、例えば図５（ａ），（ｂ）に図示するようなステージ足場が一般に利用されている。
【０００３】
この種のステージ足場は床から枠組足場１０を組み上げ、その上に角パイプ等からなる大引きを架け渡し、当該大引きの上に足場板を敷設して構成されている。また、工事の種類や作業の進捗状況に応じて足場の高さも異なるため、その都度仮設と解体が行われている。
【０００４】
【特許文献１】特開２００６−１４４４０２号公報
【特許文献２】特開２０００−２７４０６９号公報
【特許文献３】特開平１０−０１８５７７号公報
【発明の開示】
【発明が解決しようとする課題】
【０００５】
しかし、ステージ足場の仮設と解体は高所作業を強いられるため、作業員の転落事故や資材の落下事故に結びつきやすく、作業の安全性に課題があった。また、規模が大きくなるにつれて、工期の長期化、仮設工事費が嵩む等の課題があった。
【０００６】
本発明は、以上の課題を解決するためになされたもので、特に工事の種類や工事の進捗状況に応じてステージ足場の設置と移動を迅速にかつ安全に行なえるようにした昇降式ステージ足場を提供することを目的とする。
【課題を解決するための手段】
【０００７】
請求項１記載の昇降式ステージ足場は、複数層に積層された枠組足場と当該枠組足場間に脱着自在に架け渡されたステージ足場と、当該ステージ足場を昇降させる昇降装置とを備え、作業の進捗状況または作業の種類に応じて任意の高さに設置できるように構成されてなることを特徴とするものである。
【０００８】
本発明は、特に専用の仮設資材を用いるわけではなく、あらかじめユニット化された枠組や足場板などの在来の仮設資材を用いることにより、組立てと解体を容易に行えるようにすると共に、設置および移動もきわめて迅速に行なうことがえるようにしたものである。
【０００９】
請求項２記載の昇降式ステージ足場は、請求項１記載の昇降式ステージ足場において、ステージ足場はトラス梁と当該トラス梁の上に架け渡された大引きと当該大引きの上に敷設された足場板とから構成されてなることを特徴とするものである。
【００１０】
本発明は特に、ステージ足場にトラス梁を用いることで軽量化を図ったもので、大引きには鋼管や軽量型鋼を用いることができる。
【発明の効果】
【００１１】
本発明は、地上でステージ足場を組み立て、工事の種類に応じて必要な高さまで昇降させて設置することができるため、高所での組立ておよび解体作業がなく、作業の安全性が図れる。
【００１２】
また、工事の種類や工事の進捗状況に応じてステージ足場を昇降させて位置を自由に変更でき、作業ごとのステージ足場の組立てと解体がなくなるため、仮設足場の設置および撤去をきわめて効率的かつ安全に行なうことができる。
【発明を実施するための最良の形態】
【００１３】
図１〜図４は、本発明の昇降式ステージ足場の一例を示し、図において、符号１は複数段に組み上げられた枠組み足場、２は枠組足場１，１間に架け渡されたステージ足場、３はステージ足場２を昇降させるための昇降装置である。
【００１４】
枠組足場１は所定間隔おきに複数列に配置され、各枠組足場１は縦枠、布枠、ブレース等にユニット化された複数のユニット部材を連結しながら所定の高さに組み立てられている。
【００１５】
ステージ足場２は枠組足場１の連続方向に所定の幅に組み立てられ、各枠組足場１，１間に当該枠組足場１の連続方向に互いに隣接して複数配置されている。
【００１６】
各ステージ足場２は枠組足場１、１間に複数の梁４を架け渡し、当該梁４，４の上に複数の大引き５を架け渡し、さらに大引き５，５間に複数の足場板６を敷設することにより組み立てられている。
【００１７】
各梁４の両端は各枠組足場１に突設されたブラケット７に脱着自在に接合されている。梁４とブラケット７には鋼管からなるトラス梁が用いられ、ブラケット７は枠組足場１の縦枠に水平に添えられ、かつ上弦材と下弦材を枠組足場の縦枠にクランプ等の緊結金具によって結合することにより脱着自在に取り付けられている。
【００１８】
また、各梁４の両端はブラケット７の端部に双方の上弦材どうし及び下弦材どうしをそれぞれボルト結合などの方法で連結することにより脱着自在に接合されている。
【００１９】
昇降装置３は電動ウィンチあるいは電動チェーンブロック等であり、枠組足場１に設置されている。そして、各ステージ足場２のコーナー部と各昇降機３との間に吊りワイヤー８が架け渡され、当該吊りワイヤー８の中間部分は枠組足場１の上端部に取り付けられた滑車９に巻きかけられている。
【００２０】
このような構成において、ステージ足場２の各梁４の両端をブラケット７から切り離した状態で昇降装置３を作動させることにより、ステージ足場２を自由に昇降させることができる。また、昇降装置３はステージ足場２の上、枠組足場１の上、あるいは地上で自由に遠隔操作できるようになっている。
【００２１】
図４（ａ）〜（ｃ）は、特にステージ足場２の端部が枠組足場１に簡単に接合および切り離しできるように構成された例であり、説明すると、枠組足場１の側部に角形鋼管などからなる受け梁１０が枠組足場１の連続方向に沿って架け渡され、一方ステージ足場２の梁４の端部には受け梁１０と係合可能なフック１１が突設されている。このように構成されていることで、ステージ足場２の設置と昇降作業を非常に迅速に行なうことができる。
【００２２】
次に、本発明の昇降式ステージ足場の設置および撤去方法について説明する。
【００２３】
最初に、枠組足場１を組み立てる。枠組足場１は工事の種類や規模に応じて所定高さ、所定長さにかつ複数列に組み立てる。
【００２４】
次に、地上において各枠組足場１，１間にステージ足場２を組み立てる。
また、枠組足場１に昇降装置３を設置し、各昇降装置３とステージ足場２間に吊りワイヤー８を架け渡し、当該吊りワイヤー８の中間部分を滑車９に巻きかける。
【００２５】
次に、昇降装置３を作動させてステージ足場２を昇降させる。そして、あらかじめ枠組足場１に突設されたブラケット７に梁４の端部を接合する。なお、ブラケット７はあらかじ複数ヶ所に取り付けておいてもよく、あるいはステージ足場２の昇降と共に設置位置を移動してもよい、
【産業上の利用可能性】
【００２６】
本発明は、ステージ足場の組立て、設置および位置変えをきわめて簡単にかつ迅速に行なうことができる。
【図面の簡単な説明】
【００２７】
【図１】（ａ）は昇降式ステージ足場の一部正面図、（ｂ）はその一部拡大斜視図である。
【図２】（ａ）〜（ｃ）は、昇降式ステージ足場の設置方法を示す工程図である。
【図３】昇降式ステージ足場の設置方法を示す工程図である。
【図４】（ａ）〜（ｃ）は、他の昇降式ステージ足場の設置方法を示す工程図である。
【図５】従来のステージ足場の一例を示し、（ａ）はその全体図、（ｂ）はその一部側面図である。
【符号の説明】
【００２８】
１  枠組足場
２  ステージ足場
３  昇降装置
４  梁
５  大引き
６  足場板
７  ブラケット
８  ワイヤー
９  滑車
１０  受け梁
１１  フック
【図１】
2008174903.tif 000003
【図２】
2008174903.tif 000004
【図３】
2008174903.tif 000005
【図４】
2008174903.tif 000006
【図５】
2008174903.tif 000007